(57)【要約】実質的に四角又は矩形状のボディを持つゴルフクラブヘッド(42)が開示される。ゴルフクラブヘッド(42)は好ましくは420cc470ccの範囲の体積を持つ。ゴルフクラブヘッド(42)は好ましくはゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きい。
2008526311.tif 000002
【特許請求の範囲】
【請求項１】
周縁を持つフロント壁と；
前記フロント壁の周縁から2.5インチ〜4.5インチ後方に延びるヒール壁と；
前記ヒール壁に実質的に直交し、前記ヒール壁のアフトエッジから2.5インチ〜4.5インチ延びるアフト壁と、
前記アフト壁に実質的に直交し、前記トオ壁のアフトエッジから2.5インチ〜4.5インチ延びるトオ壁を有するゴルフクラブヘッド。
【請求項２】
前記ヒール壁、前記アフト壁及び前記トオ壁は同じ高さを有する請求項１に記載のゴルフクラブヘッド。
【請求項３】
前記ヒール壁、前記アフト壁及び前記トオ壁は1.5インチ〜3.0インチの範囲で同じ高さを有する請求項２に記載のゴルフクラブヘッド。
【請求項４】
ゴルフクラブヘッドの体積は350立方センチメートル〜500立方センチメートルの範囲である請求項１に記載のゴルフクラブヘッド。
【請求項５】
ゴルフクラブヘッドの体積は400立方センチメートル〜460立方センチメートルの範囲である請求項１に記載のゴルフクラブヘッド。
【請求項６】
フェースと、クラウンと、ソールと、ヒール壁と、リア壁及びトオ壁を有するボディを有し、
前記ボディは350立方センチメートル〜500立方センチメートルの範囲の体積を持ち、
前記リア壁、トオ壁及びヒール壁は実質的に直線状であるゴルフクラブヘッド。
【請求項７】
前記ボディは形状中心点と、アフト−ヒールエッジポイントとアフト−トオエッジポイントを持ち、前記形状中心点からアフト−ヒールエッジポイントまでの距離は前記形状中心点からアフト−トオエッジポイントまでの距離と等しい請求項６に記載のゴルフクラブヘッド。
【請求項８】
前記アフト壁と前記ヒール壁との間にアフト−ヒール曲線セクションを持ち、前記アフト壁と前記トオ壁との間にアフト−トオ曲線セクションを持つ請求項６に記載のゴルフクラブヘッド。
【請求項９】
前記アフト−ヒール曲線セクションとアフト−トオ曲線セクションは0.5インチ〜1.0インチの範囲の長さの曲線を持つ請求項６に記載のゴルフクラブヘッド。
【請求項１０】
前記ヒール壁は前記フロント壁の周縁から前記ヒール壁の長さの少なくとも５０%の距離だけ前記フェースの最外範囲に平行な面に対して８０°〜９０°の角度で後方に延びている請求項６に記載のゴルフクラブヘッド。
【請求項１１】
前記ヒール壁は前記フロント壁の周縁から前記ヒール壁の長さの少なくとも６６%の距離だけ前記フェースの最外範囲に平行な面に対して８０°〜９０°の角度で後方に延びている請求項６に記載のゴルフクラブヘッド。
【請求項１２】
前記ヒール壁は前記フロント壁の周縁から前記ヒール壁の長さの少なくとも７５%の距離だけ前記フェースの最外範囲に平行な面に対して８０°〜９０°の角度で後方に延びている請求項６に記載のゴルフクラブヘッド。
【請求項１３】
前記ヒール壁は前記フロント壁の周縁から前記ヒール壁の長さの少なくとも９０%の距離だけ前記フェースの最外範囲に平行な面に対して８０°〜９０°の角度で後方に延びている請求項６に記載のゴルフクラブヘッド。
【請求項１４】
前記ヒール壁は前記フロント壁の周縁から前記ヒール壁の長さの少なくとも９５%の距離だけ前記フェースの最外範囲に平行な面に対して８０°〜９０°の角度で後方に延びている請求項６に記載のゴルフクラブヘッド。
【請求項１５】
前記形状中心点からアフト−ヒールエッジポイントまでの距離と形状中心点からアフト−トオエッジポイントまでの距離は前記形状中心点からゴルフクラブヘッド上の点までの距離の最大の長さである請求項６に記載のゴルフクラブヘッド。
【請求項１６】
第１の材料からなるフェース要素であって、打撃プレート部分とリターン部分とを有し、前記リターン部分は前記打撃プレート部分の周縁から0.25インチ〜1.5インチの範囲延びているフェース要素と、
前記リターン部分に固定される実質的に四角形のアフトボディであって、前記第１の材料より小さい密度を持つ第２の材料からなり、クラウン部分とソール部分を有し、前記ソール部分は底部セクションとリボンセクションを有し、前記リボンセクションは前記クラウン部分と前記ソール部分の底部セクションの間に位置しているアフトボディを有するゴルフクラブヘッドであって、
前記ゴルフクラブヘッドは実質的に四角形状をしているゴルフクラブヘッド。
【請求項１７】
クラウンと、ソールと、リボンと打撃プレートを有するボディを有し、
体積が460cc未満であり、質量が190g-225gの範囲にあり、ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きいゴルフクラブヘッド。
【請求項１８】
第１の材料からなるフェース要素であって、打撃プレート部分とリターン部分とを有し、前記リターン部分は前記打撃プレート部分の周縁から0.25インチ〜1.5インチの範囲延びているフェース要素と、
前記リターン部分に固定されるアフトボディであって、前記第１の材料より小さい密度を持つ第２の材料からなり、クラウン部分とソール部分を有し、前記ソール部分は底部セクションとリボンセクションを有するアフトボディを有するゴルフクラブヘッドであって、
前記ゴルフクラブヘッドは、体積が460cc未満であり、質量が190g-225gの範囲にあり、ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きいゴルフクラブヘッド。
【請求項１９】
周縁を持つフロント壁と；
前記フロント壁の周縁から前記フロント壁の周縁から前記ヒール壁の長さの少なくとも６６%の距離だけ前記フロント壁の最外範囲に平行な面に対して８０°〜９０°の角度で延びているヒール壁と；
前記ヒール壁のアフトエッジから2.5インチ〜4.5インチ延びるアフト壁と；
前記フロント壁の周縁から前記トオ壁の長さの少なくとも６６％の距離だけ、前記フロント壁の最外範囲に平行な面に対して８０°〜９０°の角度で延びているヒール壁を有するゴルフクラブヘッドであって；
前記ゴルフクラブヘッドの体積が420cc〜470ccの範囲であるゴルフクラブヘッド。
【請求項２０】
前記ゴルフクラブヘッドの体積は460cc未満であり、質量が190g-225gの範囲にあり、ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きいゴルフクラブヘッド。
【請求項２１】
前記ゴルフクラブヘッドはゴルフクラブヘッドの重心を通る軸Iyyの回りの慣性モーメントが3000g-cm2より大きい請求項１９に記載のゴルフクラブヘッド。
【請求項２２】
フェース壁と、クラウン壁と、ソール壁と、リア壁及びトオ壁を有するボディを有するゴルフクラブヘッドであって；
前記ゴルフクラブヘッドは350cc〜500ccの体積と、190g〜250gの範囲の質量を有し；
ゴルフクラブヘッドの体積の５０％より大きい体積がゴルフクラブヘッドの重心より前側にあり、ゴルフクラブヘッドの質量の５０％未満が前記重心より前側にあり、重心の前側は前記フェース壁側であるゴルフクラブヘッド。
【請求項２３】
前記ゴルフクラブヘッドの体積は420cc〜470ccの範囲にある請求項２２に記載のゴルフクラブヘッド。
【請求項２４】
前記ソール壁、ヒール壁、リア壁及びトオ壁の少なくとも一つの上に配置された複数の重り部材を有し、各重り部材は5g〜30gの範囲の質量を持つ請求項２２に記載のゴルフクラブヘッド。
【請求項２５】
前記ゴルフクラブヘッドは、前記ゴルフクラブヘッドの最前端エッジから前記ゴルフクラブヘッドの最後端エッジまでの長さLgchが3.5インチ〜4.5インチの範囲にあり、前記ゴルフクラブヘッドの重心は、前記最前端エッジから前記長さLgchの５０％未満の距離に位置する請求項２２に記載のゴルフクラブヘッド。
【請求項２６】
前記ゴルフクラブヘッドの重心は前記最前端エッジから前記長さLgchの３０％〜４９％の範囲の距離に位置する請求項２５に記載のゴルフクラブヘッド。
【請求項２７】
ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きい請求項２２に記載のゴルフクラブヘッド。
【請求項２８】
前記ゴルフクラブヘッドは、前記ゴルフクラブヘッドの前記クラウン壁の最頂部から前記ゴルフクラブヘッドのソール壁の最底部までの高さHgchは2.0インチ〜3.0インチの範囲にあり、前記ゴルフクラブヘッドの重心は前記ゴルフクラブヘッドのソール壁の最底部から前記高さHgchの５０％未満の位置にある請求項２２に記載のゴルフクラブヘッド。
【請求項２９】
前記ゴルフクラブヘッドの重心は、前記ゴルフクラブヘッドのソール壁の最底部から前記高さHgchの４０％〜４９％の範囲の位置にある請求項２８に記載のゴルフクラブヘッド。
【請求項３０】
前記ゴルフクラブヘッドの質量の３５％〜４６％は前記重心の前側に位置する請求項２２に記載のゴルフクラブヘッド。
【請求項３１】
第１の材料からなるフェース要素であって、打撃プレート部分とリターン部分とを有するフェース要素と、
前記リターン部分に固定されるアフトボディであって、前記第１の材料より小さい密度を持つ第２の材料からなり、クラウン部分とソール部分を有し、前記ソール部分は底部セクションとリボンセクションを有し、前記リボンセクションは前記クラウン部分と前記ソール部分の底部セクションの間に位置しているアフトボディを有するゴルフクラブヘッドであって；
前記ゴルフクラブヘッドは350cc〜500ccの範囲の体積と190g〜250gの範囲の質量を持ち；
前記ゴルフクラブヘッドの体積の５０％より大きい体積がゴルフクラブヘッドの重心より前側にあり、ゴルフクラブヘッドの質量の５０％未満が前記重心より前側にあり、重心の前側は前記フェース壁側であるゴルフクラブヘッド。
【請求項３２】
前記ゴルフクラブヘッドの体積は420cc〜470ccの範囲にある請求項３３１に記載のゴルフクラブヘッド。
【請求項３３】
前記リボンセクション上に配置され、5g〜30gの範囲の質量を持つ複数の重り部材を更に有する請求項３１に記載のゴルフクラブヘッド。
【請求項３４】
前記ゴルフクラブヘッドは、前記ゴルフクラブヘッドの最前端部から前記ゴルフクラブヘッドの最後端部までの長さLgchが3.5インチ〜4.75インチの範囲にあり、前記ゴルフクラブヘッドの重心が前記最前端部から前記長さLgchの５０％未満の位置にある請求項３１に記載のゴルフクラブヘッド。
【請求項３５】
前記ゴルフクラブヘッドの重心が前記長さLgchの３０％〜４９％の範囲の位置にある請求項３４に記載のゴルフクラブヘッド。
【請求項３６】
ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きい請求項３１に記載のゴルフクラブヘッド
【請求項３７】
前記ゴルフクラブヘッドは、前記ゴルフクラブヘッドのアフトボディのクラウン壁の最頂部から前記ゴルフクラブヘッドのアフトボディのソール壁の最底部までの高さHgchは2.0インチ〜3.0インチの範囲にあり、前記ゴルフクラブヘッドの重心は前記ゴルフクラブヘッドのソール壁の最底部から前記高さHgchの５０％未満の位置にある請求項３１に記載のゴルフクラブヘッド。
【請求項３８】
前記フェース要素はチタニウム合金からなり、前記アフトボディはプリプレグ材料のプライからなる請求項３１に記載のゴルフクラブヘッド。
【請求項３９】
第１の材料からなるフェース要素であって、打撃プレート部分とリターン部分とを有するフェース要素と、
前記フェース要素のリターン部分に固定されるアフトボディであって、前記第１の材料より小さい密度を持つ第２の材料からなり、クラウン部分とソール部分を有し、前記ソール部分は底部セクションとリボンセクションを有し、前記リボンセクションは前記クラウン部分と前記ソール部分の底部セクションの間に位置しているアフトボディを有するゴルフクラブヘッドであって；
前記ゴルフクラブヘッドは350cc〜500ccの範囲の体積と190g〜250gの範囲の質量を持ち、
前記ゴルフクラブヘッドの体積の５１％〜６５％がゴルフクラブヘッドの重心より前側にあり、前記ゴルフクラブヘッドの質量の３５％〜４６％がゴルフクラブヘッドの重心の前側にあり、重心の前側は打撃プレート側であるゴルフクラブヘッド。
【請求項４０】
フェース壁と、クラウン壁と、ソール壁と、ヒール壁と、リア壁及びトオ壁を持つボディを有するゴルフクラブヘッドであって；
前記ゴルフクラブヘッドは350cc〜500ccの範囲の体積と190g〜250gの範囲の質量を持ち、前記ゴルフクラブヘッドの体積の５０％未満が前記ゴルフクラブヘッドの重心の後方にあり、前記ゴルフクラブヘッドの質量の５０％以上が前記重心の後方にあり、前記重心の後方は前記リア壁側であるゴルフクラブヘッド。
【請求項４１】
第１の材料からなるフェース要素であって、打撃プレート部分とリターン部分とを有するフェース要素と、
前記フェース要素のリターン部分に固定されるアフトボディであって、前記第１の材料より小さい密度を持つ第２の材料からなり、クラウン部分とソール部分を有し、前記ソール部分は底部セクションとリボンセクションを有し、前記リボンセクションは前記クラウン部分と前記ソール部分の底部セクションの間に位置しているアフトボディを有するゴルフクラブヘッドであって；
前記ゴルフクラブヘッドの体積の５０％未満がゴルフクラブヘッドの重心の後方にあり、前記ゴルフクラブヘッドの質量の５０以上が前記重心の後方にあり、前記重心の後方は前記アフトボディのリボンセクションのリア壁側であるゴルフクラブヘッド。
【請求項４２】
フェース壁と、クラウン壁と、ソール壁と、ヒール壁と、リア壁及びトオ壁を持つボディを有するゴルフクラブヘッドであって；
前記ゴルフクラブヘッドは350cc〜500ccの範囲の体積と190g〜250gの範囲の質量を持ち、
前記ゴルフクラブヘッドは標準偏差が0.226未満の反発係数を持つゴルフクラブヘッド。
【請求項４３】
前記ゴルフクラブヘッドの体積が420cc〜470ccの範囲である請求項４２に記載のゴルフクラブヘッド。
【請求項４４】
前記ソール壁、ヒール壁、リア壁及びトオ壁の少なくとも一つの上に複数の重り部材を有し、各重り部材は5g〜30gの範囲の質量を持つ請求項４２に記載のゴルフクラブヘッド。
【請求項４５】
前記ゴルフクラブヘッドは標準偏差が0.226〜0.150の範囲の反発係数を持つ請求項４２に記載のゴルフクラブヘッド。
【請求項４６】
記ゴルフクラブヘッドは標準偏差が0.180未満の反発係数を持つ請求項４２に記載のゴルフクラブヘッド。
【請求項４７】
ゴルフクラブヘッドの重心を通る軸Izzの回りの慣性モーメントが4000g-cm2より大きく、ゴルフクラブヘッドの重心を通る軸Ixxの回りの慣性モーメントが3000g-cm2より大きい請求項４２に記載のゴルフクラブヘッド。
【請求項４８】
前記ゴルフクラブヘッドは標準偏差が0.165未満の反発係数を持つ請求項４２に記載のゴルフクラブヘッド。
【請求項４９】
前記ゴルフクラブヘッドは前記フェース壁を横切る複数の打撃位置において標準偏差が0.226未満の反発係数を持つ請求項４２に記載のゴルフクラブヘッド。
【請求項５０】
前記複数の打撃位置は少なくとも９箇所である請求項４９に記載のゴルフクラブヘッド。
【請求項５１】
前記複数の打撃位置は、フェース壁の中心、前記フェース中心より0.25インチだけヒール側に寄った位置、前記フェース中心より0.5インチだけヒール側に寄った位置、前記フェース中心より0.25インチだけトオ側に寄った位置、前記フェース中心より0.5インチだけトオ側によった位置、前記フェース中心より0.25インチだけクラウン側に寄った位置、前記フェース中心より0.5インチだけクラウン側に寄った位置、前記フェース中心より025インチだけソール側に寄った位置及び前記フェース中心より0.5インチだけソール側に寄った位置である請求項４９に記載のゴルフクラブヘッド。
【請求項５２】
前記ゴルフクラブヘッドは前記フェース壁の形状中心と前記中心よりソール側へ0.5インチだけ寄った位置との間で反発係数の偏差が0.065未満である請求項４２に記載のゴルフクラブヘッド。
【請求項５３】
前記ゴルフクラブヘッドは前記フェース壁の形状中心と前記中心よりソール側へ0.5インチだけ寄った位置との間で反発係数の偏差が0.050未満である請求項４２に記載のゴルフクラブヘッド。
【請求項５４】
前記ゴルフクラブヘッドは前記フェース壁の形状中心と前記中心よりソール側へ0.5インチだけ寄った位置との間で反発係数の偏差が0.068〜0.040の範囲にある請求項４２に記載のゴルフクラブヘッド。
【請求項５５】
第１の材料からなるフェース要素であって、打撃プレート部分とリターン部分とを有するフェース要素と、
前記フェース要素のリターン部分に固定されるアフトボディであって、前記第１の材料より小さい密度を持つ第２の材料からなり、クラウン部分とソール部分を有し、前記ソール部分は底部セクションとリボンセクションを有し、前記リボンセクションは前記クラウン部分と前記ソール部分の底部セクションの間に位置しているアフトボディを有するゴルフクラブヘッドであって；
前記ゴルフクラブヘッドは350cc〜500ccの範囲の体積と、190g〜250gの範囲の質量を持ち、
前記ゴルフクラブヘッドは標準偏差が0.226未満の反発係数を持つゴルフクラブヘッド。
【請求項５６】
前記ゴルフクラブヘッドは標準偏差が0.225〜0.150の範囲の反発係数を持つ請求項５５に記載のゴルフクラブヘッド。
【請求項５７】
前記ゴルフクラブヘッドは標準偏差が0.180未満の反発係数を持つ請求項５５に記載のゴルフクラブヘッド。
【請求項５８】
前記ゴルフクラブヘッドは前記フェース壁を横切る複数の打撃位置において標準偏差が0.226未満の反発係数を持ち、前記ゴルフクラブヘッドは0.825より大きい反発係数を持つ請求項５５に記載のゴルフクラブヘッド。
【請求項５９】
前記複数の打撃位置は、フェース壁の中心、前記フェース中心より0.25インチだけヒール側に寄った位置、前記フェース中心より0.5インチだけヒール側に寄った位置、前記フェース中心より0.25インチだけトオ側に寄った位置、前記フェース中心より0.5インチだけトオ側によった位置、前記フェース中心より0.25インチだけクラウン側に寄った位置、前記フェース中心より0.5インチだけクラウン側に寄った位置、前記フェース中心より025インチだけソール側に寄った位置及び前記フェース中心より0.5インチだけソール側に寄った位置である請求項５８に記載のゴルフクラブヘッド。
【請求項６０】
前記ゴルフクラブヘッドは前記フェース壁の形状中心と前記中心よりソール側へ0.5インチだけ寄った位置との間で反発係数の偏差が0.065未満である請求項４２に記載のゴルフクラブヘッド。
【請求項６１】
フェース壁と、クラウン壁と、ソール壁と、ヒール壁と、リア壁及びトオ壁を持つボディを有するゴルフクラブヘッドであって；
前記ゴルフクラブヘッドは350cc〜500ccの範囲の体積と190g〜250gの範囲の質量を持ち、
前記ゴルフクラブヘッドは前記フェース壁の形状中心と前記中心よりソール側へ0.5インチだけ寄った位置との間で反発係数の偏差が0.065未満であるゴルフクラブヘッド。
【発明の詳細な説明】
【技術分野】
【０００１】
本発明はゴルフクラブヘッドに関する。特に、本発明は実質的に四角或いは実質的に矩形の形状をしたゴルフクラブヘッドに関する。
【背景技術】
【０００２】
ゴルフクラブヘッドでゴルフボールを打つとき、クラブヘッドフェースとゴルフボールに大きな荷重がかかる。エネルギーの大部分はヘッドからゴルフボールに移るが、エネルギーのいくらかの部分は衝突の結果として失われる。ゴルフボールは典型的にはゴムのようなコアを囲む（アイオノマーのような）ポリマーのカバー材料を有している。これらのより柔らかいポリマー材料は歪み又は歪み率である減衰特性を持ち、これは金属のクラブフェースの減衰特性より１０−１００倍のオーダーである。したがって、インパクトの間において、ゴルフボールの高い負荷と変形（0.001-0.20インチ）の結果としてエネルギーが失われ、一方、金属クラブフェースの変形は少ない（0.025-0.050インチ）。クラブヘッドからゴルフボールへのエネルギーの伝達をより良くすることは、ゴルフボールの飛距離を増大することになる。
【０００３】
金属、即ちクラブヘッドの変形を少なくするための一般的に認められているアプローチはクラブヘッドフェースの硬さを増すことである。しかしながら、このことはゴルフボールのより大きな変形を生じさせ、エネルギーの伝達に関して問題を生じる。
【０００４】
ある者はこの問題を認識し、問題解決の可能性を開示している。一例として、Campauの米国特許第4,398,965号「可撓性のあるインパクトフェースを持つアイアンゴルフクラブを製造擦る方法」（特許文献１）は、フェースプレートが撓むようにフェースプレートに溝をつけた可撓性及び弾力性のあるフェースプレートを開示している。Campauのフェースプレートはステンレススチールのような鉄合金からなり、0.1インチから0.125インチの厚みを持つ。
【０００５】
他の例は、Eggimanの米国特許第5,863,261号「弾性的に変形するフェースとバックフェースを持つゴルフクラブヘッド」（特許文献２）があり、これはインパクトの間、ゴルフボールに対してバネ効果を生じるように作用する複数のプレートを使用することを開示している。少なくとも二つのプレートの間に粘性のカプラーとして作用する流体が介在されている。
【０００６】
更に他の例として、Jepson他の米国特許第3,937,474号「ポリウレタンインサートを持つゴルフクラブ」があり、ここにではショアＤ硬度４０〜７５の範囲にあるポリウレタンインサートを開示している。
【０００７】
更に別の例は、Inamoriの米国特許第3,975,023号「セラミックフェースプレートを持つゴルフクラブ」（特許文献３）があり、ここには高いエネルギー伝達係数を持つセラミック材料からなるフェースプレートがが開示されるが、セラミックは通常は硬い材料である。Chen他の米国特許第5,743,813号「ゴルフクラブヘッド」（特許文献４）はゴルフボールのショックを吸収するためにフェースに複数の層を使用することを開示している。材料のうちの一つは非金属材料である。
【０００８】
Luの米国特許第5,499,814号「変形するインサートフェースプレートを持つ中空クラブヘッド」（特許文献５）は、フェースプレートの変形を小さくするプラスチック又はアルミニウム合金を有する強化された要素で、ステンレススチール、チタン、KEVLAR（登録商標）などを含む種々の材料で厚さが0.01インチ〜0.30インチの範囲のものを開示している。
【０００９】
更に他の例としてCampauの他の発明である米国特許第3,989,248号「弾力的に撓むことのできるインサートを持つゴルフクラブ」（特許文献６）があり、金属インサートを持つ木材からなるウッドクラブを開示している。
【００１０】
フェースプレートの撓みを意図するものではないが、Visteの米国特許第5,282,624号（特許文献７）は鍛造ステンレススチールから成り、厚みが3mmのフェースプレートを持つゴルフクラブヘッドを開示している。Andersonの米国特許第5,344,140号「ゴルフクラブヘッド及びその製造方法」（特許文献８）は、また、フェースプレートに鍛造材料を使用することを開示している。Andersonのフェースプレートはスチール、銅、チタンを含むいくつかの鍛造材料を用いることができる。鍛造プレートは0.090インチ〜0.130インチの均一の厚みを持つ。
【００１１】
クラブヘッドに鍛造材料を使用擦ることに向けられた他の発明としてSu他の米国特許第5,776,011号（特許文献９）がある。Suは各ピースが鍛造材料であるスリーピースを持つクラブヘッドを開示している。Suの主たる目的は、より大きなロフト角の精度を持つクラブヘッドを造ることと、構造的弱さを防止することである。Aizawaの米国特許第5,346,216号「ゴルフクラブヘッド」（特許文献１０）は湾曲した打撃面を持つフェースプレートを開示している。
【００１２】
Vincent他の米国特許第6,146,571号（特許文献１１）は、ゴルフクラブヘッドの製造方法について開示し、ここでは、壁部が、溶融可能なコアに固定されたインサート上にプラスチックのような材料を注入して得られる。コアは注入されるプラスチックより低い融点を持ち、コアが除去されるとき内側の体積が維持されて内部キャビティが形成される。インサートはコアが除去されたときシェルのフロント壁の内側を強化するための抵抗要素となり、その強化要素は横方向にスチールからなる延長部を有するアルミニウムからなる。
【００１３】
Peter他の米国特許第6,149,534号（特許文献１２）は、単一のインターフェース面に沿って形成された上部及び下部の係合面を持ち、下面の金属面は上部面より、より重く密であるゴルフクラブヘッドを開示している。
【００１４】
Rigal他の米国特許第5,547,427号（特許文献１３）は、耐衝撃金属シール要素によって画成される打撃面を持つ成型された熱可塑性ゴルフクラブヘッドを開示している。このシール要素はクラブヘッドの打撃面のフロント壁を画成し、上方及び打撃面の側部に沿って延び、クラブヘッドへのシャフトを取り付けるためのネックを形成している。シール要素は好ましくは厚さが2.5〜5mmである。
【００１５】
Vincent他の米国特許第5,425,538号（特許文献１４）は、スチールシェルとファイバーの織ったウェブの積層からなる複合材料の打撃面を持つ中空のゴルフクラブヘッドを開示している。
【００１６】
Viollaz他の米国特許第5,377,986号（特許文献１５）は、一連の金属プレートとプラスチック又は複合材料の打撃プレートを持つボディを有するゴルフクラブヘッドを開示し、前記打撃プレートが前側に凸となる形状が与えられている。更に、Viollaz他の米国特許第5,310,185号（特許文献１６）は、一連のメタルプレートからなるボディを有する中空ゴルフクラブヘッドを開示し、メタル支持プレートは前側打撃面上に位置し、プラスチック又は複合材料からなる打撃プレートが取り付けられる。メタル支持プレートは打撃プレートの前方に凸のリアプレートと関連して前方に凸のフロントプレートを持ち、これによって前方に凸の打撃面を形成している。
【００１７】
Desboilles他の米国特許第5,106,094号（特許文献１７）は、メタル打撃プレートを持つゴルフクラブヘッドを開示し、打撃プレートは内部に充填材料をもつゴルフクラブヘッドに取り付けられる分離されたユニットとされている。
【００１８】
Kurashimaの米国特許第4,568,088号（特許文献１８）は、木材−プラスチックの複合材料の混合物によって強化されたウッドゴルフクラブヘッドを開示している。この木材−プラスチック複合材料は不均一に分散され、高密度部分が５mm〜１５mmの範囲でクラブヘッドの前面に隣接し、実質的にこれに平行に延びて存在している。
【００１９】
Maderの米国特許第4,021,047号（特許文献１９）は、ソールプレート、フェースプレート、ヒール、トオ、及びホーゼル部が単一の金属片として形成され、木材又は複合材料のクラウンがその単一片に取り付けられ、これによってクラブヘッド内の中空チャンバーを形成するようにしたゴルフクラブを開示している。
【００２０】
Lo他の米国特許第5,624,331号（特許文献２０）は、中空メタルゴルフクラブヘッドで、ヘッドの金属ケーシングは少なくとも二つの開口を有している。このヘッドは、また、ヘッド内に配置される複合材料を有し、複合材料の部分はクラブヘッドのケーシングの開口内に配置されている。
【００２１】
Danielの米国特許第1,167,387号（特許文献２１）は、シェルボディがアルミニウム合金の金属からなり、フェースプレートがぶな、柿などの硬質の木材からなる中空ゴルフクラブヘッドを開示している。フェースプレートは木目が打撃プレートの縦となるように配置される。
【００２２】
Gloverの米国特許第3,692,306号（特許文献２２）は、ソールにブラケットを持ち、打撃プレートがそれと一体となったゴルフクラブヘッドを開示している。少なくとも一つのプレートに取り外しできる調整可能な重り部材を固定するための細長い管が組み込まれている。
【００２３】
Loの米国特許第5,410,798号（特許文献２３）は、層状部材が挿入される金属ケーシングを使用した複合材料のゴルフクラブヘッドを製造する方法を開示している。複合材料のシートは層状部材の開口と金属ケーシングを実質的に覆い、両方の頂部の開口を閉鎖している。次に、膨張できるポケットが窒化ナトリウム、塩化アンモニウム及び水からなる中空層状部材内に挿入され、層状部材を金属ケーシングと一体に取り付け、ヘッドが成形型内に置かれて加熱される。
【００２４】
Thompsonの米国特許第4,877,249号（特許文献２４）は、層状上部面とキールを持つ金属ソール面とを結合したウッドゴルフクラブヘッドを開示している。層状部を強化するため、また、不測の硬い物体に衝突したときに層が離れないようにするため、ボルトがクラブヘッドのクラウンを通して挿入され、ソールプレートにキールの部分で結合され、層状部を密に圧縮している。
【００２５】
Belmontの米国特許第3,897,066号（特許文献２５）は、取り外し可能に挿入される重り調整部材を持つゴルフクラブヘッドを開示している。この部材はフェースセクションからクラブヘッドの後部セクションに延びる中央軸に平行で、クラウンからトオ軸に直交している。この重り調整部材はポリウレタン樹脂を充填したカプセルを使用して支持することができ、ポリウレタン樹脂は、フェースプレートにも使用することができる。このカプセルはクラブヘッドの後部面でカバーを持つ開口を有し、重り手段を調節するための入口とされる。
【００２６】
Clarkの米国特許第2,750,194号（特許文献２６）は、重り調節手段を持つウッドゴルフクラブヘッドを開示している。このゴルフクラブヘッドは、好ましくはヒールプレートと一体に形成される重り調節部材を支持するための側部と底部を持つトレイ部材を含む。重り部材が取り付けられたヒールプレートはゴルフクラブヘッドに開口を通して挿入される。
【００２７】
Okumoto他の米国特許第5,193,811号（特許文献２７）は、主として合成樹脂と金属ソールプレートからなるウッドタイプのクラブヘッドボディを開示している。金属ソールプレートはその表面に、ヘッドボディと結合するための、ヒールサイドにホーゼル、トオサイドに重りを、そして重りとホーゼルを結合するビームからなる一体に形成された部材を持つ。
【００２８】
更に、Okumoto他の米国特許第5,516,107号（特許文献２８）は、好ましくは合成樹脂からなる外側シェル、クラブヘッドの内部に位置する金属重り部材を持つゴルフクラブヘッドを開示している。成形可能な材料がクラブヘッドの中空内部に注入されてコアが形成される。成形可能な材料が注入され、ソールプレートが取り付けられると、クラブヘッドは加熱されて成形可能な材料は膨張し、重り部材を外側シェルの内面に押し付けて、重り部材をトオ、ヒール又は後部側に位置する凹所に保持する。
【００２９】
Sunの米国特許第4,872,685号（特許文献２９）は雌ユニットを雄ユニットに合わせて単一のゴルフクラブヘッドを形成するようにしたゴルフクラブヘッドを開示している。雌ユニットはゴルフクラブヘッドの上部部分を有し、好ましくはプラスチック、合金、又は木からなる。雄部材はソールプレート、打撃プレートからなるフェースプレート及び重り要素の構造部分を含んでいる。雄ユニットは実質的にはより大きな重さを持ち、好ましくは軽量金属合金からなる。これらのユニットは互いに合わされて接着剤又は機械的手段により保持される。
【００３０】
Katayamaの米国特許第5,398,935号（特許文献３０）は、ゴルフクラブヘッドのトオエンドにおける打撃フェースの高さがゴルフクラブヘッドの中央における打撃フェースの高さとほぼ等しいか或いはそれより大きい打撃フェースを持つゴルフクラブヘッドを開示している。
【００３１】
Matternの米国特許第1,780,625号（特許文献３１）は、後部がマグネシウムのような軽量金属からなるクラブヘッドを開示している。Butchartの米国特許第1,638,916号（特許文献３２）は、柿などの木からなるバランス部材と、そのバランス部材に取り付けられるアルミニウムからなるシェルのようなボディを有するゴルフクラブヘッドを開示している。
【００３２】
Nunziatoの米国特許第3,981,507号（特許文献３３）は矩形のフェースを持つ立方体のようなクラブヘッドを開示している。
【００３３】
Kentの米国特許第2,336,405号（特許文献３４）は台形の形状をしたゴルフクラブを開示している。
【００３４】
Bakerの米国特許第D226,431号（特許文献３５）は大きな後部壁を持つクラブヘッドのデザインを開示している。
【００３５】
Springer他の米国特許第3,397,888号（特許文献３６）は矩形の形状のパターを開示している。
【００３６】
Hodgeの米国特許第3,486,755号（特許文献３７）は三角形のような形状のパターを開示している。
【００３７】
米国特許第3,901,514号（特許文献３８）はリングのような形状をしたクラブヘッドをもつパターを開示している。
【００３８】
Hoffmeisterの米国特許第D179,002号（特許文献３９）は円形のフェースと細長いボディを持つクラブヘッドのデザインを開示している。
【００３９】
米国ゴルフ協会（USGA）及び
セントアンドリウス  ロイヤルエンシャントゴルフクラブによって制定されたゴルフ規則はゴルフクラブヘッドに関する要件を規定している。この要件は規則４と付則IIに規定されている。ゴルフ規則の全体はUSGAのウエブページwww.usga.orgから入手できる。そのうちの一つにゴルフクラブヘッドの体積に関するものでがある。
【００４０】
現在の通常の材料（チタン、スチール）からなり、通常の製法（鋳造、鍛造、MIM、機加工）造られる大きい体積のドライバーのヘッド（>400cc）はクラブヘッドの慣性モーメントを増やすために利用される任意の材料の量について制限されている。通常のゴルフクラブヘッドの形状も、また、与えられるゴルフクラブヘッドの体積に対して可能な慣性モーメントを制限している。
【特許文献１】米国特許第4,398,965号
【特許文献２】米国特許第5,863,261号
【特許文献３】米国特許第3,975,023号
【特許文献４】米国特許第5,743,813号
【特許文献５】米国特許第5,499,814号
【特許文献６】米国特許第3,989,248号
【特許文献７】米国特許第5,282,624号
【特許文献８】米国特許第5,344,140号
【特許文献９】米国特許第5,776,011号
【特許文献１０】米国特許第5,346,216号
【特許文献１１】米国特許第6,146,571号
【特許文献１２】米国特許第6,149,534号
【特許文献１３】米国特許第5,547,427号
【特許文献１４】米国特許第5,425,538号
【特許文献１５】米国特許第5,377,986号
【特許文献１６】米国特許第5,310,185号
【特許文献１７】米国特許第5,106,094号
【特許文献１８】米国特許第4,568,088号
【特許文献１９】米国特許第4,021,047号
【特許文献２０】米国特許第5,624,331号
【特許文献２１】米国特許第1,167,387号
【特許文献２２】米国特許第3,692,306号
【特許文献２３】米国特許第5,410,798号
【特許文献２４】米国特許第4,877,249号
【特許文献２５】米国特許第3,897,066号
【特許文献２６】米国特許第2,750,194号
【特許文献２７】米国特許第5,193,811号
【特許文献２８】米国特許第5,516,107号
【特許文献２９】米国特許第4,872,685号
【特許文献３０】米国特許第5,398,935号
【特許文献３１】米国特許第1,780,625号
【特許文献３２】米国特許第1,638,916号
【特許文献３３】米国特許第3,981,507号
【特許文献３４】米国特許第2,336,405号
【特許文献３５】米国特許第D226,431号
【特許文献３６】米国特許第3,397,888号
【特許文献３７】米国特許第3,486,755号
【特許文献３８】米国特許第3,901,514号
【特許文献３９】米国特許第D179,002号
【発明の開示】
【課題を解決するための手段】
【００４１】
発明の概要
本発明の一つの態様は、実質的に四角な形状をなし、ゴルフクラブヘッドの重心の回りの慣性モーメントIzzが4000g-cm2より大きいゴルフクラブヘッドである。
【００４２】
ゴルフクラブヘッドは金属フェース要素とフェース要素に接着固定される非金属のアフトボディ要素を含む複数材料からなる。
【００４３】
本発明の他の態様は、フロント壁、クラウン壁、ソール壁、トオ壁、ヒール壁、アフト壁及びトオ壁を持つボディを有するゴルフクラブヘッドであり、前記ボディは350cm3〜500cm3の範囲の体積を持ち、アフト壁、トオ壁及びヒール壁の各々は実質的に直線状であるゴルフクラブヘッドである。
【００４４】
ゴルフクラブヘッドは好ましくは形状中心ポイント、アフト-ヒールエッジポイント、アフト-トオエッジポイントを持ち、形状中心ポイントからアフト-ヒールエッジポイントまでの距離は形状中心ポイントからアフト-トオエッジポイントまでの距離と等しい。ゴルフクラブヘッドは、また、アフト壁とヒール壁との間にアフト-ヒール曲線セクションを、また、アフト壁とトオ壁の間にアフト-トオ曲線セクションを持つ。アフト-ヒール曲線セクションとアフト-トオ曲線セクションの各々は0.5インチ〜1.0インチの範囲の曲線の長さを持つ。ヒール壁は、好ましくは、フロント壁の周囲縁から後方にフェースの最外範囲に平行な面に対して８０°〜９０°の範囲の角度でヒール壁の長さの少なくとも５０%の距離だけ延びている。形状中心ポイントからアフト-ヒールエッジポイントまでの距離と形状中心ポイントからアフト-トオポイントまでの距離は形状中心ポイントからゴルフクラブヘッドのいかなる位置までの距離のうちの最大の距離となるのが好ましい。
【００４５】
更に、本発明の他の態様は、フェース壁、クラウン壁、ソール壁、ヒール壁、後部壁及びトオ壁を持つボディを有するゴルフクラブヘッドである。ゴルフクラブヘッドは350cm3〜500cm3の範囲の体積を持ち、190g〜250gの範囲の質量を持つ。ゴルフクラブヘッドの体積の５０%以上はゴルフクラブヘッドの重心より前にあり、ゴルフクラブヘッドの質量の５０%未満が重心より前にある。ゴルフクラブヘッドの重心の前側はフェース壁に向かう側である。
【００４６】
本発明の更なる他の態様は、他のゴルフクラブヘッドに比較して、ゴルフクラブヘッドの打撃プレートをわたりより均一な反発係数（”COR”）を持つ。より詳しくは、本発明のゴルフクラブヘッドは他のゴルフクラブヘッドに比べ、打撃プレート全体に対してより小さいCORの偏差を持つ。特に、本発明のゴルフクラブヘッドは体積が350cm3〜500cm3の範囲にあり、質量が190g 〜250gの範囲にあり、CORの標準偏差が0.226未満である。
【００４７】
本発明の他の態様は、フェース壁、クラウン壁、ソール壁、ヒール壁、後部壁及びトオ壁を持つボディを有するゴルフクラブヘッドである。ゴルフクラブヘッドは体積が350cm3〜500cm3の範囲にあり、質量が190g 〜250gの範囲にある。ゴルフクラブヘッドはフェース壁の形状中心とその中心からソールに向けて0.5インチから反発係数のデルタを持ち、その反発係数は0.65未満である。
【発明を実施するための最良の形態】
【００４８】
本発明は、全体として、頂部又は底部より視たとき（側部からとは異なり）実質的に正方形又は矩形の形状を持ち、ゴルフクラブヘッドの重心の回りの慣性モーメントＩｚｚが比較的高いゴルフクラブヘッドに向けられている。クラブヘッドの全体的な実施例は図１−７に示されている。クラブヘッドの好ましい実施例が図に示されている。クラブヘッドの代替的実施例が図２２−２７に示されている。クラブヘッドの第２の代替的実施例が図２８−３３に示されている。クラブヘッドの第３の代替的実施例が図３４−３９に示されている。５つの実施例が示されているが、当業者であれば、これらの記載からゴルフクラブヘッドの他の実施例が本発明の範囲と精神を離れない範囲で可能であることが理解できるであろう。
【００４９】
図１−７に示されるように、本発明のゴルフクラブヘッドは全体を４２で示される。好ましくは、ゴルフクラブヘッドのボディ43はクラウン62’、ソール64’、リボン90’、及び打撃プレート72’を持ち、これらの全ては好ましくは中空内部を画成している。ゴルフクラブヘッド42はヒールエンド42、トオエンド68及びアフトエンド70を持っている。
【００５０】
ドライバーとして設計されるときのゴルフクラブヘッド42は200立方センチメートル〜600立方センチメートルの体積、より好ましくは300立方センチメートル〜500立方センチメートル、最も好ましくは420立方センチメートル〜470立方センチメートル、さらに最も好ましくは460立方センチメートルの体積を持つ。ゴルフクラブヘッド42の体積はドライバーより小さいフェアウェイウッド（好ましくは３番ウッド〜１１番ウッド）の間では変化する。
【００５１】
ゴルフクラブヘッド42は、ドライバーとして設計されるときは、好ましくは215g未満の質量、最も好ましくは180g-215gの質量を持つ。ゴルフクラブヘッド42がフェアウェイウッドとして設計されるときは、ゴルフクラブヘッドは好ましくは135g-200gの視ｓ津量、好ましくは140g-165gの質量を持つ。
【００５２】
図１Ａに示されるように、ゴルフクラブ40は実質的に正方形のゴルフクラブヘッド42を持つ。クラブヘッド42にはシャフト48が取り付けられており、シャフト48の端部52にグリップ50を持ち、シャフト48の先端56は42のホーゼル54内に挿入される。
【００５３】
クラブヘッド42はヒール壁166、トオ壁168、リア壁170を持ち、これらの全ては実質的に互いにまたクラブヘッド42の打撃プレート72’に対して直線状をなしている。更に、ヒール166、トオ168及びリア壁170は、図８、９に示される従来のクラブヘッドの壁に比較して実質的に直線的である。
【００５４】
図３に示されるように、ヒール壁166は打撃プレート72’の周縁73からクラブヘッドの最後方まの範囲の距離”Dhw”を持ち、これは好ましくは2.00インチ〜5.00インチの範囲、より好ましくは3.0インチ〜4.5インチ、最も好ましくは3.5インチ〜4.0インチである。
【００５５】
図４に示されるように、トオ壁168は打撃プレート72’の周縁73からクラブヘッドの最後方までの部分の距離”Dtw”を持ち、これは好ましくは2.00インチ〜5.00インチの範囲、より好ましくは3.0インチ〜4.5インチ、最も好ましくは3.5インチ〜4.0インチである
図５に示されるように、リア壁170はクラブヘッドのヒールエンド66の最も幅の広い部分からクラブヘッド42のトオエンド68の最も幅の広い部分までの距離”Daw”を持ち、これは好ましくは2.50インチ〜5.50インチの範囲、より好ましくは3.0インチ〜4.75インチ、最も好ましくは4.0インチ〜4.5インチである。
【００５６】
一つの実施例では、Dhw、Dtw、Dawは全てが長さが等しく、3.5インチ-4.25インチの範囲である。他の実施例ではDhw、Dtw、Dawは全てが長さが等しく、2.5インチ-4.0インチの範囲である。
【００５７】
図６に示されるように、クラブヘッド42の形状中心は”GC”として示されている。形状中心はクラブヘッドの幾何学的形状に基づく中心として定義される。形状中心からアフト-ヒールエッジポイント150までの距離”Dgh”は1.5インチ〜3.5インチの範囲、より好ましくは2.0インチ〜3.0インチ、最も好ましくは2.5インチである。形状中心からアフト-トオエッジポイント155までの距離”Dgt”は1.5インチ〜3.5インチの範囲、より好ましくは2.0インチ〜3.0インチ、最も好ましくは2.5インチである。好ましい実施例においては、DghとDgtはクラブヘッド42の幾何学中心から最も遠い点までの距離である。他の実施例においては、距離DghとDgtは、少なくともクラブヘッド42の幾何学中心から最も遠い点までの距離に等しい。アフト-ヒールエッジポイント150は、ヒール壁166がリア壁170に移るところヒール壁166とリア壁170のエッジに沿う変曲点として定義される。アフト-トオエッジポイント155は、トオ壁168がリア壁170に移るところのトオ壁168とリア壁170のエッジに沿う変曲点として定義される。
【００５８】
図６に示されるように、クラブヘッド42はアフト-ヒール湾曲セクション200とアフト-トオ湾曲セクション205を持つ。アフト-ヒール湾曲セクション200はヒール壁166からリア壁170への移行点である。アフト-トオ湾曲点205はトオ壁168からリア壁170への移行点である。本発明のクラブヘッド42は従来のクラブヘッド42xに比べて湾曲セクションが少なくなっている。
【００５９】
図６Ａに示されるように、ゴルフクラブヘッド42の最先端エッジ777から42の最後端エッジ747までの長さLgchを持ち、この長さは好ましくは3.0インチ〜5.0インチの範囲、より好ましくは3.5インチ〜4.75インチ、更に好ましくは4.0インチ〜4.5インチ、最も好ましくは約4.15インチである。好ましい実施例では、ゴルフクラブヘッド42の重心CGは最先端エッジ777から長さLgchの５０%未満のところに位置する。重心CGは、さらに好ましくは最先端777からの長さの３０%〜４９%である。好ましい実施例においては、ゴルフクラブヘッド42のフェースのロフト角により、最先端エッジ777はフェース壁（打撃プレート）72’とゴルフクラブヘッド42のソール壁64’との交差部分となる。最後端エッジ747は好ましくはリボン90’上にある。
【００６０】
図３Ａに示されるように、ゴルフクラブヘッド42はゴルフクラブヘッド42のクラウン62’の最頂部787からゴルフクラブヘッド42のソール64’の最低部まで高さHgchを持ち、この高さは、好ましくは、2.0インチ〜3.0インチの範囲、より好ましくは2.25インチ〜2.75インチ、最も好ましくは2.60インチである。ゴルフクラブヘッド42の重心CGは、ゴルフクラブヘッド42のソール64’の最低部から高さHgchの５０%未満の位置にあり、より好ましくは、ゴルフクラブヘッド42のソール64’の最低部から高さHgchの４０%〜４９%の範囲に位置する。
【００６１】
図３Ａ及び図６Ａに示されるように、点線555はゴルフクラブヘッド42を重心CGの前側と重心CGの後側のセクションに分ける仮想の面を示している。ゴルフクラブヘッド42は、ゴルフクラブヘッド42の体積の好ましくは５０％より大きい体積が重心CGの前側にあり、ゴルフクラブヘッド42の質量の好ましくは５０％未満が重心CGの前側にあるという点で新規なものである。換言すれば、ゴルフクラブヘッド42の体積の好ましくは５０％未満がゴルフクラブヘッド42の重心の後側にあり、ゴルフクラブヘッド42の質量の５０％以上が重心CGの後側にあるということである。更に他の言い方をすれば、ゴルフクラブヘッド42の体積の好ましくは５０％以上がゴルフクラブヘッド42の重心CGの前側にあり、ゴルフクラブヘッド42の質量の５０％以上が重心CGの後方にあるといことである。最も好ましくはゴルフクラブヘッド42の質量の３５％〜４６％が重心CGの前側にある。最も好ましくはゴルフクラブヘッド42の体積の５１％〜６５％が重心CGの前側にある。
【００６２】
図７に示されるように、ヒール壁166は、打撃プレート72’の周囲からアフト-ヒールエッジポイント150までの距離”Dhw7”を持ち、その距離は、好ましくは2.00インチ〜4.5インチの範囲、より好ましくは2.5インチ〜4.25インチ、最も好ましくは3.0インチ〜4.0インチである。
【００６３】
図７に示されるように、トオ壁168は、打撃プレート72’の周囲からアフト-トオエッジポイント155までの距離”Dtw’”を持ち、その距離は、好ましくは2.00インチ〜4.5インチの範囲、より好ましくは2.5インチ〜4.25インチ、最も好ましくは3.0インチ〜4.0インチである。
【００６４】
図７に示されるように、リア壁170は、アフト-ヒールエッジポイント150からアフト-トオエッジポイント155までの距離”Daw’”を持ち、その距離は好ましくは2.50インチ〜5.00インチの範囲、より好ましくは3.0インチ〜4.0インチ、最も好ましくは3.25インチ〜3.75インチである。好ましい実施例では、距離Dhw’とDtw’は等しく、2.5インチ〜4.0インチの範囲である。
【００６５】
好ましい実施例においては、クラブヘッド42は通常は図１０−１６に示されるように、二つの要素、フェース要素60とアフトボディ61から成る。アフトボディ61は好ましくはクラウン部62とソール部64を有している。
【００６６】
フェース要素は通常は単一の金属片からなり、好ましくは鍛造金属材料からなる。さらに好ましくは鍛造金属材料は鍛造チタン材料である。このチタン材料には純チタン、6-4チタン合金、日本、東京の大同スチールから得られるDAT55Gチタン合金、OhioのRTI International Metal から得られるTi 10-2-3 Beta-C チタニウム等のチタン合金が含まれる。フェース要素60の他の金属には、他の高強度スチール及びアモルファス金属が含まれる。それとは別にフェース要素60は鋳造、成形、機械加工、粉末金属成形、金属注入成型、電気化学加工などで製造できる。
【００６７】
フェース要素60は全体として打撃プレート部分（またここではフェースプレートと呼ばれる）72と打撃プレート部分72の周囲から横向きに内側に延びるリターン部分（返り部分）74を含む。打撃プレート部分72は典型的にはその上に複数のスコアラインを持っている。打撃プレート部分72は好ましくは0.010インチ〜0.250インチの範囲の厚さを持ち、返り部分74は好ましくは0.010インチ〜0.250インチの厚みを持つ。返り部分74は、好ましくは、打撃プレート部分72の周囲73から0.25インチ〜1.5インチの範囲で延びている。
【００６８】
好ましい実施例においては、返り部分74は全体として上部横向きセクション76、下部横向きセクション78、ヒール横向きセクション80、トオ横向きセクション82を含んでいる。したがって、返り部分74は打撃プレート部分72を３６０°の全体にわたって囲んでいる。しかしながら、当業者であれば、返り部分74は、打撃プレート部分72の一部、例えば、１８０°にわたって、また、不連続に囲むようにすることができることは理解できるであろう。
【００６９】
上部横向きセクション76は好ましくはアフト61の方向に内向きに所定の距離dだけ延び、クラウン62に係合する。好ましい実施例では、所定の距離dは、打撃プレート部分72の周囲から上部横向きセクションの76の後端まで測ったとき、0.2インチ〜1.2インチの範囲、より好ましくは0.4インチ〜1.0インチ、最も好ましくは0.8インチである。好ましい実施例においては、上部横向きセクション76は実質的に直線的でヒール66からトオエンド68まで打撃プレート部分72に実質的に平行である。
【００７０】
打撃プレート部分72の周囲は好ましくはフェース60が打撃プレート72に実質的に平行な面から打撃プレート部分72と実質的に直交する変化する部分として定義される。それとは別に、その変化部分を決定する一つの方法は、打撃プレート72に平行な面と打撃プレート部分72と直交する面を取り、次に、その平行な面と直交する面に対して45°の面を取る。その45°の面がフェース要素と接触する部分が前記変化する部分であり、これが打撃プレート部分の周囲を画定することになる。
【００７１】
ヒール横向きセクション80は打撃プレート部分72に実質的に直交しており、ヒール横向きセクション80は好ましくは選択的なリボンセクション90とアフトボディ61のソール部分64の底部セクション91と係合する前においてホーゼル54の部分をカバーする。ヒール横向きセクション80は、以下に詳述するように、ソール部分64、リボンセクション90及び底部セクション91に取り付けられている。ヒール横向きセクション80は周囲73から距離dだけ内側に延びており、距離dは、0.2インチ〜1.2インチの範囲、好ましくは、0.40インチ〜1.0インチ、最も好ましくは0.8インチである。ヒール横向きセクション80は好ましくはエッジ部分では直線状である。
【００７２】
フェース要素60の他端はトオ横向きセクション82がある。トオ横向きセクション82は、後に詳述するように、好ましくはソール64、リボン90及び底部セクション91の両方に取り付けられる。トオ横向きセクション82は周囲73から内側に向けて距離dだけ延びており、その距離は距離dは、0.2インチ〜1.2インチの範囲、好ましくは、0.40インチ〜1.0インチ、最も好ましくは0.8インチである。トオ横向きセクション80は好ましくはエッジ部分では直線状である。
【００７３】
下部横向きセクション78は内側に、アフトボディ61の方向に向けて距離dだけ延びてソール部分64に係合している。好ましい実施例では、距離dは、打撃プレート72の周囲73から下部横向きセクション78のエッジまで測って、0.2インチ〜1.2インチの範囲、好ましくは、0.40インチ〜1.0インチ、最も好ましくは0.8インチである。
【００７４】
フェース要素60に取り付けられ、ギャップ105によりそれより分離されているアフトボディ61は、好ましくは、非金属材料からなり、好ましくは連続ファイバーオウルプレグ材料（樹脂用の熱硬化性材料又は熱可塑性材料を含む）から成る。アフトボディ61の他の材料には、注入可能なプラスチックのような熱硬化性材料や熱可塑性材料が含まれる。それとは別にアフトボディ61は、マグネシウム又はアルミニウムのような低密度金属材料とすることができる。マグネシウム合金の例として、Phillips Plastic Corporation からZA-91-D（公称組成はアルミニウム、亜鉛及びマンガンを含むマグネシウム）として、また、AM-60-B（公称組成はアルミニウム及びマンガンを含むマグネシウム）及びAM-50-A（公称組成はアルミニウム及びマンガンを含むマグネシウム）として入手できる。アフトボディ61は好ましくは金属注入成型で造られる。これとは別に、アフトボディ61は鋳造、成形、機械加工、粉末金属成形、電気化学加工などにより造ることができる。
【００７５】
アフトボディ61は好ましくはブラダー成型、樹脂トランスファー成型、樹脂噴射成型、注入成型、加圧成型などにより造られる。好ましいプロセスでは、返り部74の内面に接着剤が付けられたフェース要素60がアフトボディ61のプリフォームと共にブラダー成型のために成型用型内に置かれる。この接着剤には液状又はフィルム状媒体の熱硬化性接着剤が含まれる。好ましい接着剤は、ミネソタ州、ミネアポリスの3MによりDP420NS及びDP460NSのブランドで販売されている2成分液体エポキシである。他の接着剤には3M会社から販売されるDP810NSのような改変アクリル液体が含まれる。これとは別にHysol Synspan のような発泡テープも本発明では使用できる。
【００７６】
ブラダー（袋）がプリフォームの中空内部とフェース要素60内に置かれ、型内で加圧され、加熱される。この一体成型プロセスによりアフトボディ61とフェース要素60とが固定される。これとは別にアフトボディ61は接着剤により又は機械的に返り部74に固定することができる。
【００７７】
アフトボディ61のクラウン部分62はソール64に対して略凸状であり、ソール部分64のリボンセクション90にフェース要素60との係合の外側で係合する。クラウン部分62は、好ましくは0.010インチ〜0.100インチの範囲、より好ましくは0.025インチ〜0.070インチ、さらに好ましくは0.028インチ〜0.040インチ、最も好ましくは0.033インチの厚みを有する。底部セクション91と選択的リボンセクション90を含み、実質的に底部セクション91に直交するソール部分64は、好ましくは0.010インチ〜0.100インチの範囲、より好ましくは0.025インチ〜0.070インチ、さらに好ましくは0.028インチ〜0.040インチ、最も好ましくは0.033インチの厚みを有する。好ましい実施例においては、アフトボディ61は、ここに全体が参照として組み入れられる米国特許第6,248,025号「複合材料のゴルフクラブヘッドと製造方法」に記載されているような、複数、典型的には６又は７層のプリプレグのプライからなる。
【００７８】
ホーゼル54は好ましくはクラブヘッド42の中空内部内に少なくとも部分的に配置され、好ましくはフェース要素60の一部として配置される。ホーゼル54は好ましくはフェース要素60と同様な材料で造られ、好ましくは溶接などによりフェース要素60に固定される。これとは別にホーゼル54はフェース要素60の形成とともに造ることができる。
【００７９】
好ましい実施例においては、重り部材122がアフトボディ61上に好ましく配置され、クラブヘッド42の慣性モーメントを増加し、或いはクラブヘッド42の他の固有の特性に影響を与える。重り部材122は好ましくは、タングステン充填フィルム、タングステンでドープされたポリマー、或いは、ここにその全体が参照として組み入れられる1999年12月29日出願の米国特許第6,386,990号「重りストリップが一体化された複合材料ゴルフクラブヘッド」に記載されるような他の重りメカニズムで造ることができる。当業者であれば、鉛フリーのピューターのような高密度材料が本発明の範囲と精神を離れない範囲において選択的重りとして使用できることは理解できるであろう。
【００８０】
好ましい実施例においては、二つの重り部材122a と122bがアフトボディ61のソール部分64のリボンセクション90のプリプレグのプライ内に組み入れられる。各重り部材122の重さは5g〜30gである。各重り部材122は好ましくは5g/cm3〜20g/cm3の範囲の密度、より好ましく葉7g/cm3〜12g/cm3の密度を持つ材料からなる。
【００８１】
各重り部材122は好ましくは金属材料と一体化されたポリマーで造られる。この金属材料は好ましくは、銅、タングステン、鋼鉄、アルミニウム、錫、銀、金、プラチナなどから選択することができる。好ましい金属はその高密度のためタングステンである。ポリマー材料は熱硬化性又は熱可塑性のポリマー材料である。好ましいポリマー材料はポリウレタン、エポキシ、ナイロン、ポリエステルなどの材料である。最も好ましいポリマー材料は熱可塑性ポリウレタンである。好ましい重り部材122は注入成形される熱可塑性ポリウレタンに密度が8.0g/cm3のタングステンが一体に組み込まれるようにしたものである。好ましい実施例においては、各重り部材122は５０〜９５重量％のポリウレタンと５０〜５重量％のタングステンから成る。また、好ましい実施例においては、各重り部材122は、１０〜２５重量％のポリウレタンと９０〜７５重量％のタングステンから成る。
【００８２】
好ましくは、重り部材122aと122bはゴルフクラブヘッド42のアフト−ヒールのコーナーとアフト−トオのコーナーに配置され、それらは、略、アフト−ヒールエッジポイント150とアフト−トオエッジポイント155に対応している。当業者であれば、重り部材122として、本発明の範囲と精神を離れない範囲において他の材料が使用できることは理解できるであろう。重り部材122a、122bの配置はゴルフクラブヘッド42の慣性モーメントを最適することを可能にする。
【００８３】
図４０−４２に示されるように、フェース要素は、部分72aは部分72bより厚く、部分72bは部分72cより厚くなるように、厚さが変化している打撃プレート部分72を有している。好ましい実施例においては、打撃プレート部分72は、ここに参照として組み入れられる米国特許第6,398,666号「種々の厚みを持つゴルフクラブ打撃プレート」に記載されるように種々の厚さを有している。打撃プレート部分72厚さの他の実施例が、ここに関連部分が参照として組み入れられるCallaway Golf Company所有の米国特許第6,471,603号「曲面を有するゴルフクラブフェース」及び米国特許第6,368,234号「楕円形の複数の厚さを持つ領域を持つゴルフクラブ打撃プレート」に記載されている。
【００８４】
前述のように、フェース要素60は好ましくは金属棒より鍛造により製造される。フェース要素の製造の一つの好ましい鍛造プロセスは、ここにその全部が参照として組み入れられる2000年4月13日に出願された米国特許第6,440,011号「ゴルフクラブヘッドの打撃プレートを製造する方法」に記載されている。これとは別に、フェース要素60は、ロストワックス鋳造法として知られるような溶融金属から鋳造により形成することができる。鍛造又は鋳造のための金属としては、好ましくは、チタン又は鍛造用に6-4チタン合金、α−βチタン合金、βチタン合金又は鋳造用に6-4チタン合金のようなチタン合金がある。
【００８５】
更なるフェース要素60の製造方法には、平坦金属シートからフェース要素60を形成する方法、平坦金属シートからフェース要素60をスーパープラスチック形成により形成する方法、固体金属ブロックからの機械加工による方法、鍛造プレフォームからフェースを電気化学的に加工する方法などが含まれる。更なる他の方法として異なる厚みを持たせるための拡散ボンディングシート法及びスーパープラスチック形成がある。
【００８６】
これとは別に、フェース要素60は、その全体がここに参照として組み入れられる2002年4月4日に出願された米国特許第6,471,604号に記載されているようなアモルファス金属により造ることができる。
【００８７】
また、フェース要素60とアフトボディ61を持つクラブヘッド42の他の実施例が図２２−２７に示されている。この実施例においては、クラブヘッド42はアフトボディ61の外側に配置された重り122a’ と122b’を持っている。また、フェース要素60とアフトボディ61を持つクラブヘッド42の他の実施例が図２８−３２に示されている。更に、フェース要素60とアフトボディ61を持つクラブヘッド42の他の実施例が図３４−３９に示されている。この実施例においては、ソール部分64の底部セクション91は、クラブヘッド42の第１のキールポイント275と第２のキールポイント277を造り出すソール内向き曲面333を持っている。
【００８８】
図１−７のゴルフクラブヘッド42の他の実施例において、ボディ43は打撃プレート72’が配置される開口を持つフロント壁を有している。ボディ43は好ましくは非金属材料からなり、好ましくは連続ファイバープリプレグ材料（樹脂用の熱硬化性材料又は熱可塑性材料を含む）のような複合材料からなる。ボディ43の他の材料は注入可能なプラスチックのような熱硬化性材料又は熱可塑性材料を含む。更にボディ43の他の材料はマグネシウム合金、アルミニウム合金、マグネシウム、アルミニウム又は他の低密度金属を含む。ボディ43は好ましくはブラダー成形、樹脂トランスファー成形、樹脂注入成形、加圧成形などの方法により造られる。
【００８９】
打撃プレートインサート72’はボディ43のフロント壁の開口を覆うようにボディ43に固定される。打撃プレートインサート72’は好ましくは成形された金属材料からなる。これとは別に、打撃プレートインサート72’は機械加工された金属材料、鍛造金属材料、鋳造金属材料などから造られる。打撃プレートインサート72’は好ましくは成形されたチタン又はスチール材料からなる。好ましい材料はスチール4340で、これは熱処理され、次いで窒化チタンでコーティングされる。打撃プレートインサート40に好適なチタン材料は純チタン及び6-4チタン合金、SP-700チタン合金（日本、東京の日本スチールから入手できる）、日本の大同スチールより入手できるDAT55Gチタン合金、オハイオ州のRTI International Metalより入手できるTi 10-2-3 β-Ｃチタン合金、等のようなチタン合金を含む。他の打撃プレートインサート40は他の高強度スチール合金及びアモルファス金属を含む。このような金属材料は、ペンシルバニアのCarpenter Specialty Alloys から
入手できる17-4PH、Custom 450,455,465 及び465+ステンレススチール、AERMET 100及びAERMET 310 合金スチール、ノースカロライナのAllvacから入手できるマルエイジングスチールを含む。このようなアモルファス金属は、ここに関連部分が参照として組み入れられる米国特許第5,288,344号に記載されるようなベリリウムを基材とする合金、ここに関連部分が参照として組み入れられる米国特許第5,735,975号に記載されるような五元金属ガラス、ここに関連部分を参照として組み入れられる「Calculation of Amorphous-Forming Composition Range For Ternary Alloy
System And Analyses Of Stabilization Of Amorphous Phase and Amorphous -Forming
Ability, Takeuchi and Inoue, Material Transaction, Vol. 42, No.7, p
1435-1444(2001)」に 記載されるような三元合金を含む。
【００９０】
打撃プレートインサート72’は好ましくはボディ43と一体に成形されるか、或いはボディ43の製造後に開口に嵌め込むようにされる。他の取り付け方法においては、最初にボディ43がブラダー成形により成形され、次いで、打撃プレートインサート72’がフロント壁の凹所に接着剤を使用して固定される。接着剤は凹所の外面に施される。この接着剤には液状又はフィルム媒体の熱硬化性接着剤が含まれる。好ましい接着剤はミネソタ州ミネアポリスの３ＭによってDP420NS及びDP460NSのブランドで販売されている二成分液体エポキシである。他の接着剤は、やはり３Ｍから販売されるDP810NSのような改変アルキル液体接着剤を含む。これに代わり、Hysol Synspanのような発泡テープを本発明に使用することができる。
【００９１】
図１−７に示されたゴルフクラブヘッド42の更なる他の実施例においては、ボディ43は好ましくはチタン、チタン合金などの金属材料からなり、最も好ましくは鋳造チタン合金からなる。
【００９２】
ボディ43は好ましくは周知のロストワックス鋳造法により溶融金属から鋳造により造られる。鋳造のための金属は好ましくはチタン又は鍛造用として6-4チタン合金、α-βチタン合金、βチタン合金、鋳造用として6-4チタンのようなチタン合金である。これとは別に、ボディ43は17-4スチール合金で造られる。ボディ43を造るための他の方法は、平坦金属シートからボディ43を形成する方法、平坦金属シートからボディ43をスーパープラスチック形成により形成する方法、固体金属ブロックからの機械加工によるボディ43を造る方法、鍛造プレフォームからボディを電気化学的に加工する方法、遠心力鋳造を使用してボディを鋳造する方法、などの製造方法が含まれる。
【００９３】
本実施例のゴルフクラブヘッド42は、米国特許第6,902,497号「フェースインサートを持つゴルフクラブヘッド」に開示されるような選択的に打撃プレートインサート72’を
配置するための開口を持つフロント壁を有している。打撃プレートインサート72’は好ましくは成形されたチタン合金材料で造られる。このチタン材料は、オハイオ州のRTI International Metals から入手できる6-22-22チタン合金及びTi 10-2-3 合金、β-C チタン合金、SP-700 チタン合金（日本、東京の日本スチールから入手できる）、日本、東京に大同スチールから入手できるDAT 55G チタン合金等を含む。打撃プレートインサート72’の好ましい材料は熱処理された6-22-22チタン合金で、６％のアルミニウム、２％の錫、２％のクロム、２％のモリブデン、２％のジルコニウム及び２％のシリコンを含むチタン合金である。このチタン合金は全体のマイクロ構造の４０％以上がα相を持つ。
【００９４】
好ましい実施例においては、打撃プレートインサート72’は均一な厚さを持ち、チタン合金打撃プレートインサート72’については、0.040インチ〜0.250インチの範囲、より好ましくは0.080インチ〜0.120インチ、最も好ましくは0.108インチである。
【００９５】
図１−７に示されたゴルフクラブヘッド42の他の実施例においては、ゴルフクラブヘッドは、ここに関連部分が参照として組み入れられる米国特許第6,575,845号「複合材料からなるゴルフクラブヘッド」に記載されるようなプリプレグ材料のプライからなるクラウンを有する構造を持っている。
【００９６】
更なる実施例においては、ゴルフクラブヘッド42は、特に図１−７に示されるような形状とここに関連部分が参照として組み入れられる米国特許第6,607,452号「高い慣性モーメントを持つゴルフクラブヘッド」に開示されるようなプリプレグ材料のプライからなるボディを有する構造を持っている。
【００９７】
好ましい実施例においては、ゴルフクラブヘッド42は、高い反発係数を持ち、これによりゴルフクラブ40でヒットしたときより長い飛距離を可能とする。この反発係数（”COR”という）は下記の式により定義される。
ｅ＝（ｖ２−ｖ１）／（Ｕ１−Ｕ２）
ここで、Ｕ１はインパクト前のクラブヘッドの速度；Ｕ２はインパクト前のゴルフボールの速度でゼロである；ｖ１はクラブヘッドのフェースからゴルフボールが離れた直後のクラブヘッドの速度；ｖ２はクラブヘッドのフェースからゴルフボールが離れた直後のゴルフボールの速度であり；ｅはゴルフボールとクラブヘッドの間の反発係数である。
【００９８】
システムにエネルギーが加えられなければ、ｅの値はゼロから１．０の間である。柔らかい粘土のような材料では反発係数ｅはゼロに近く、完全弾性体で変形によるエネルギーのロスがなければ、ｅの値は１となる。本発明は、通常のテスト条件で測ったとき、反発係数が0.81〜0.94の範囲のクラブヘッドを提供する。
【００９９】
USGAの標準テスト条件と与えられたボールによるゴルフクラブヘッド42の反発係数は約0.81〜0.94の範囲、好ましくは0.825〜0.883、最も好ましくは0.845である。
【０１００】
本発明のゴルフクラブヘッド42は打撃プレート全体に亘り従来のゴルフクラブヘッドに比べてより均一なCORを持つ。図２Ａに示されるように、CORはフェース壁72’又は打撃プレート72の９点においてテストされた。第１の位置は打撃プレートの形状中心であり、GFCとして示されている。他の位置801-808は幾何学的フェース中心GFCを基準に位置している。この他の位置803はフェース中心から0.25インチだけヒール側に位置し、位置804はフェース中心から0.5インチだけヒール側に位置し、位置802はフェース中心から0.25インチだけトオ側に位置し、位置801はフェース中心から0.5インチトオ側に位置し、位置807はフェース中心から0.25インチだけクラウン側に位置し、位置808はフェース中心から0.5インチだけクラウン側に位置し、位置805はフェース中心から0.25インチだけソール側に位置し、位置806は0.5インチだけソール側に位置している。幾何学的フェース中心GFCを中心とする直径１インチのフェース上の円が一定のCORを持つ領域として使用される。COR分布テストの一つの目的はCORがフェース中心から４分の１インチ毎に離れたときどのように減少するかを決定するためである。
【０１０１】
CORをテストするための好ましい方法と装置はUSGAによって制定されているものに類似している。このテストの目的は、ゴルフボールがゴルフクラブヘッドのフェースと衝突し、ボールがゴルフクラブヘッドのフェースに衝突した位置の条件を基に境界条件を模擬することにある。装置の基本的要素は：点火回路とインターロックされたドアを持つ安全囲い；ターゲットを幾何学的（空間的）条件に対して調節するための３軸プラットホーム；特定のゴルフクラブヘッドを収容するホルダー；バレル、ビーチ及びキャノンの点火アセンブリ；ボールがクラブヘッドのフェースに当たる位置を示すレーザ照準；キャノンの操作を行う特別のソフトウエアを持つ専用コンピュータ；トリガーするための同期センサ；及びディスプレイである。
【０１０２】
ゴルフクラブヘッドのフェースはマッピングのための準備がなされる。インパクトテープがフェースの中心部の適当なスコアライン上に配置される。各ショットの後にその位置のＸとＹ軸の座標が記録される。好ましくは２５の有効なショットがクラブヘッドを調べるために使用される。ショットはフェース中心から始まり、次に左右、上下に移動させる。ショット（ゴルフボールの）はフェースで最高の速度が得られるまで続けられ、最高の速度の位置のＸＹ座標がフェース上に位置決めされる。有効なショットとは入射速度が109.05mph±0.65mphで、出射角度が入射角度に対して5.00°以下である。１０回の有効ショットが最高速度でフェース上の点に発射される。（有効なショットは入射速度が109.09mph±0.34mphで、出射角度が入射角度に対して5.00°以下であり、１０のショットはその位置のＸＹ座標の2mm以内でなければならない）。最高速度と最低速度は後の計算においては採用しない。残りの８つのデータの平均が計算され、その値がゴルフクラブヘッドの速度比となる。
【０１０３】
好ましい実施例においては、ゴルフクラブヘッド42はCORの標準偏差が0.226未満である。より好ましくは、ゴルフクラブヘッド42はCORの標準偏差が0.180未満である。更に好ましくは、ゴルフクラブヘッド42はCORの標準偏差が0.165未満である。これとは別にゴルフクラブヘッド42のCORの標準偏差は0.225〜0.150の範囲である。
【０１０４】
標準偏差は、頻度の分布の分散の指標であり、分散頻度の平均からの各クラスの頻度の偏差の平方の平均の平方根として定義される。
【０１０５】
更に、本発明のゴルフクラブヘッド42は、フェースの形状中心GFCとフェース中心よりソール側に0.5インチ離れた位置806との間でCORの値の変化が小さい。好ましくはフェースの形状中心GFCと位置806の間のCORのΔは0.065未満である。より好ましくは、フェースの形状中心GFCと位置806の間のCORのΔは0.058未満であり、更に好ましくは0.050未満である。フェースの形状中心GFCと位置806の間のCORのΔの好ましい範囲は0.068〜0.040である。
【０１０６】
表１は本発明のゴルフクラブヘッドのフェースの形状中心とフェース中心よりソール側に0.5インチ離れた位置との間のCORの標準偏差とΔを現在商業的に入手できるゴルフクラブヘッドと比較して示している。
【０１０７】
【表１】
2008526311.tif 000003
さらに、フェース要素60の打撃プレート部分72はより大きいアスペクト比を与えるより矩形のフェースを持つ。アスペクト比はここではフェースの幅”W”をフェースの高さ”H”で除した値として定義される。一つの好ましい実施例においては、幅Wは100mmで高さHは56mmであり、アスペクト比は1.8である。本発明の打撃プレート部分72は、体積が420cm3より大きいクラブヘッドについては、好ましくはアスペクト比が1.8より大きい。
【０１０８】
打撃プレート部分72のフェース領域は好ましくは5.00平方インチ〜100平方インチの範囲、より好ましくは6.0平方インチ〜9.5平方インチ、最も好ましくは7.0平方インチ〜9.0平方インチである。図２３〜２６はゴルフクラブヘッドの重心を通る慣性軸を示している。慣性軸はＸ，Ｙ及びＺで示される。Ｘ軸は打撃プレート部分72から重心ＣＧを通り、ゴルフクラブヘッド42の後部へ延びる。Ｙ軸はゴルフクラブヘッド42のトオエンド68からの重心ＣＧを通り、ゴルフクラブヘッド42のヒールエンド66に延びる。Ｚ軸はクラウン部分62から重心ＣＧを通り、ソール部分64を通るように延びている。
【０１０９】
「Golf
Club Design, Fitting, Alternation & Repair, 4th Edition, by
Ralph Maltby」に定義されるように、ゴルフクラブヘッドの重心は、クラブヘッドの２以上の点で吊り下げてバランスがとれたとき、その垂直線の交点である。より詳細な重心の定義はGolf Club Design, Fitting, Alternation & Repairに記載されている。
【０１１０】
ゴルフクラブヘッド42の重心と慣性モーメントはテストフレーム（XT, YT, ZT）を使用して測定され、次にヘッドフレーム（XH,
YH, ZH）に変換される。ゴルフクラブヘッドの重心は、ここにその全体が参照として組み入れられる米国特許第6,607,452号「高い慣性モーメントを持つ複合材料のゴルフクラブ」に開示されるように、二つの秤量スケールを持つ重心デーブルを使用して得ることができる。もしシャフトがあれば、それを取り除き、ゴルフクラブヘッドの軸に直交する多数のフェースを持つホーゼルキューブと置き換える。
ゴルフクラブヘッドの重量が与えられると、ゴルフクラブヘッドを両方のスケール上に同じに置いて特定の方向、Ｘ，Ｙ，Ｚの方に沿って測ることによりゴルフクラブヘッドの重量の分布を知ることができる。当業者であれば、ゴルフクラブヘッドの重心と慣性モーメントを決定するための他の方法もあることは理解するであろう。
【０１１１】
一般的に、ゴルフクラブヘッド42のＺ軸の回りの慣性モーメントIzzは3500g-cm2〜6000g-cm2の範囲、より好ましくは4000g-cm2〜5000g-cm2、最も好ましくは4200g-cm2〜4750g-cm2の範囲である。ゴルフクラブヘッド42のＹ軸の回りの慣性モーメントIyyは2000g-cm2〜4000g-cm2の範囲、より好ましくは2500g-cm2〜3500g-cm2、最も好ましくは2900g-cm2〜3300g-cm2の範囲である。ゴルフクラブヘッド42のＸ軸の回りの慣性モーメントIxxは2000g-cm2〜4000g-cm2の範囲、より好ましくは2500g-cm2〜3750g-cm2、最も好ましくは3000g-cm2〜3500g-cm2の範囲である。
【０１１２】
一般的に、ゴルフクラブヘッド42は、ここにその全体が参照として組み入れられる2001年7月26日に出願された米国特許第6,425,832号に開示されるように慣性力の積を持つ。好ましくは、ゴルフクラブヘッド42の各慣性力の積、Ixy, Ixz, Iyzは絶対値が100g-cm2未満である。それとは別に、ゴルフクラブヘッド42の各慣性力の積、Ixy, Ixz, Iyzのうち、少なくとも二つが絶対値が100g-cm2未満となるようにする。
【０１１３】
図１７−２１はゴルフクラブヘッド42のヒール壁166、トオ壁168及びリア壁170は実質的に直線的である。好ましい実施例においては、ヒール壁166の長さの少なくとも５０％は打撃プレート部分72の周囲から後方に、打撃プレート部分72の最外範囲と平行な面に対して８０°〜９０°範囲内で延びている。例えば、図１８において、線502は打撃プレート部分72の最外範囲に対して平行な面を表しており、線503は線502に対して９０°の線を表している。点線で示された線は線502に対して８０°の線である。より好ましい実施例においては、ヒール壁166の長さの少なくとも６６％は打撃プレート部分72の周囲73から後方に、打撃プレート部分72の最外範囲に平行な面に対して８０°〜９０°の範囲内で後方に延びている。さらにより好ましい実施例においては、ヒール壁166の長さの少なくとも９０％又は９５％は打撃プレート部分72の周囲73から後方に、打撃プレート部分72の最外範囲に平行な面に対して８０°〜９０°の範囲内で後方に延びている。更に、ヒール壁166の長さの５０％〜９５％は、好ましくは、打撃プレート部分72の周囲73から後方に、打撃プレート部分72の最外範囲に平行な面に対して８０°〜９０°の範囲内、より好ましくは６６％〜８０％の範囲内で後方に延びている。
【０１１４】
好ましい実施例においては、トオ壁168の長さの少なくとも５０％は打撃プレート部分72の周囲73から後方に、打撃プレート部分72の最外範囲に平行な面に対して８０°〜９０°の範囲内で後方に延びている。例えば、図２０において、線504は打撃プレート部分72の最外範囲に平行な線を示し、線505は線504に対して直交する線を示している。点線で示された線は線502に対して８０°の線である。より好ましい実施例においては、トオ壁168の長さの少なくとも６６％は打撃プレート部分72の周囲73から後方に、打撃プレート部分72の最外範囲に平行な面に対して８０°〜９０°の範囲内で後方に延びている。さらにより好ましい実施例においては、トオ壁168の長さの少なくとも７５％は打撃プレート部分72の周囲73から後方に、打撃プレート部分72の最外範囲に平行な面に対して８０°〜９０°の範囲内で後方に延びている。さらにより好ましい実施例においては、トオ壁168の長さの少なくとも９０％は打撃プレート部分72の周囲73から後方に、打撃プレート部分72の最外範囲に平行な面に対して８０°〜９０°の範囲内で後方に延びている。更に、トオ壁168の長さの５０％〜９５％、より好ましくは６６％〜８０％は打撃プレート部分72の周囲73から後方に、打撃プレート部分72の最外範囲に平行な面に対して８０°〜９０°の範囲内で後方に延びている。
【０１１５】
好ましい実施例においては、リア壁170の長さの少なくとも５０％はヒール壁166の最外範囲に平行な面に対して８０°〜９０°の範囲内で打撃プレート部分の最外範囲に実質的に平行に延びている。例えば、図１７において、線501はヒール壁166の最区域に平行な線を示し、線500は線501に直交する線を示している。点線で示された線は線501に対して８０°の線と線501に対して６０°の線を示している。より好ましい実施例においては、リア壁170の少なくとも６６％は、ヒール壁166の最外区域に対して平行な面に対して８０°〜９０°の範囲内で打撃プレート部分の最外範囲に実質的に平行に延びている。さらにより好ましい実施例においては、リア壁170の少なくとも７５％は、ヒール壁166の最外範囲に対して平行な面に対して８０°〜９０°の範囲内で打撃プレート部分の最も遠い区域に実質的に平行に延びている。さらにより好ましい実施例においては、リア壁170の少なくとも９０％は、ヒール壁166の最外区域に対して平行な面に対して８０°〜９０°の範囲内で打撃プレート部分の最外範囲に実質的に平行に延びている。更に、リア壁170の少なくとも５０％〜９５％、より好ましくは６６％〜８０％は、ヒール壁166の最外範囲に対して平行な面に対して８０°〜９０°の範囲内で打撃プレート部分の最外範囲に実質的に平行に延びている。
【０１１６】
図２１に示されるように、クラブヘッド42の重心CGからアフト-ヒールエッジポイント150の距離”Dmh”は、1.0 インチ〜3.5インチの範囲、より好ましくは2.0インチ〜3.0インチ、最も好ましくは2.25インチである。形状中心からアフト−トオエッジポイント155までの距離”Dmt”は、1.75インチ〜4.0インチの範囲、より好ましくは2.5インチ〜3.75インチ、最も好ましくは3,25インチである。好ましい実施例においては、距離Dmtはクラブヘッド42の重心からクラブヘッド42上での最も離れた距離である。更に、アフト−トオエッジポイント155の付近に置かれた重り部材122bにより、重り部材122bはクラブヘッド42の重心から最も離れた最小の体積で最も大きい質量を示す。
【図面の簡単な説明】
【０１１７】
【図１】本発明のゴルフクラブヘッドの斜視図である。
【図１Ａ】本発明のゴルフクラブヘッドの正面図である。
【図２】図１のゴルフクラブヘッドの正面図である。
【図２Ａ】図１のゴルフクラブヘッドの正面図であり、複数の好ましい打撃位置を示す。
【図３】図１のクラブヘッドのヒールサイド視図である。
【図３Ａ】図１のクラブヘッドのヒールサイド視図である。
【図４】図１のクラブヘッドのトオサイド視図である。
【図５】図１のクラブヘッドの背面図である。
【図６】図１のクラブヘッドの平面図である。
【図６Ａ】図１のクラブヘッドの平面図である。
【図７】図１のクラブヘッドの底面図である。
【図８】従来のクラブヘッドの平面図である。
【図９】図８のクラブヘッドの底面図である。
【図１０】本発明の好ましい実施例のゴルフクラブヘッドの斜視図である。
【図１１】図１０のクラブヘッドの正面図である。
【図１２】図１０のクラブヘッドのヒールサイド視図である。
【図１３】図１０のクラブヘッドのトオサイド視図である。
【図１４】図１０のクラブヘッドの背面図である。
【図１５】図１０のクラブヘッドの平面図である。
【図１６】図１０のクラブヘッドの底面図である。
【図１７】本発明のクラブヘッドの平面図を示し、互いの壁がなす角度を示す。
【図１８】本発明のクラブヘッドの底面図を示し、互いの壁がなす角度を示す。
【図１９】本発明のクラブヘッドの底面図を示し、互いの壁がなす角度を示す。
【図２０】本発明のクラブヘッドの平面図を示し、互いの壁がなす角度を示す。
【図２１】本発明のクラブヘッドの平面図を示し、互いの壁がなす角度を示す。
【図２２】本発明の他の実施例のゴルフクラブヘッドの正面図である。
【図２３】図２２のクラブヘッドの平面図である。
【図２４】図２２のクラブヘッドの底面図である。
【図２５】図２２のクラブヘッドの背面図である。
【図２６】図２２のクラブヘッドのヒールサイド視図である。
【図２７】図２２のクラブヘッドのトオサイド視図である。
【図２８】本発明の他の実施例のゴルフクラブヘッドの正面図である。
【図２９】図２８のクラブヘッドの平面図である。
【図３０】図２８のクラブヘッドの底面図である。
【図３１】図２８のクラブヘッドの背面図である。
【図３２】図２８のクラブヘッドのヒールサイド視図である。
【図３３】図２８のクラブヘッドのトオサイド視図である。
【図３４】本発明の他の実施例のゴルフクラブヘッドの正面図である。
【図３５】図３４のクラブヘッドの平面図である。
【図３６】図３４のクラブヘッドの底面図である。
【図３７】図３４のクラブヘッドの背面図である。
【図３８】図３４のクラブヘッドのヒールサイド視図である。
【図３９】図３４のクラブヘッドのトオサイド視図である。
【図４０】本発明のゴルフクラブヘッドのフェース要素の内面を部分的に示す図である。
【図４１】図４０のフェース要素の底面を部分的に示す図である。
【図４２】図４０のフェース要素の側面を部分的に示す図である。
【図１】
2008526311.tif 000004
【図１Ａ】
2008526311.tif 000005
【図２】
2008526311.tif 000006
【図２Ａ】
2008526311.tif 000007
【図３】
2008526311.tif 000008
【図３Ａ】
2008526311.tif 000009
【図４】
2008526311.tif 000010
【図５】
2008526311.tif 000011
【図６】
2008526311.tif 000012
【図６Ａ】
2008526311.tif 000013
【図７】
2008526311.tif 000014
【図８】
2008526311.tif 000015
【図９】
2008526311.tif 000016
【図１０】
2008526311.tif 000017
【図１１】
2008526311.tif 000018
【図１２】
2008526311.tif 000019
【図１３】
2008526311.tif 000020
【図１４】
2008526311.tif 000021
【図１５】
2008526311.tif 000022
【図１６】
2008526311.tif 000023
【図１７】
2008526311.tif 000024
【図１８】
2008526311.tif 000025
【図１９】
2008526311.tif 000026
【図２０】
2008526311.tif 000027
【図２１】
2008526311.tif 000028
【図２２】
2008526311.tif 000029
【図２３】
2008526311.tif 000030
【図２４】
2008526311.tif 000031
【図２５】
2008526311.tif 000032
【図２６】
2008526311.tif 000033
【図２７】
2008526311.tif 000034
【図２８】
2008526311.tif 000035
【図２９】
2008526311.tif 000036
【図３０】
2008526311.tif 000037
【図３１】
2008526311.tif 000038
【図３２】
2008526311.tif 000039
【図３３】
2008526311.tif 000040
【図３４】
2008526311.tif 000041
【図３５】
2008526311.tif 000042
【図３６】
2008526311.tif 000043
【図３７】
2008526311.tif 000044
【図３８】
2008526311.tif 000045
【図３９】
2008526311.tif 000046
【図４０】
2008526311.tif 000047
【図４１】
2008526311.tif 000048
【図４２】
2008526311.tif 000049
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
クラウンと、ソールと、周縁を有するフロント壁と；
前記フロント壁の周縁から後方に5.08cm(2.0in)〜12.7cm(5.0in)延びるヒール壁と；
前記ヒール壁に実質的に直交するアフト壁であって、前記ヒール壁のアフトエッジから6.35cm(2.5in)〜13.97cm(5.5in)延びるアフト壁と；
前記アフト壁に実質的に直交するトオ壁であって、前記トオ壁のアフトエッジから5.08cm(2.0in)〜12.7cm(5.0in)延びるトオ壁を有し、
前記クラウン、ソール、フロント壁、ヒール壁、アフト壁及びトオ壁は中空内部を画成し、
ゴルフクラブヘッドの体積が420cc〜470ccの範囲にあり、ゴルフクラブヘッドの重心を通る軸Izzの回りの慣性モーメントが4000g-cm2より大きい、
ウッド型ゴルフクラブヘッド。
【請求項２】
前記ヒール壁、アフト壁及びトオ壁の各々は同じ高さを持つ請求項１に記載のウッド型ゴルフクラブヘッド。
【請求項３】
前記ヒール壁、アフト壁及びトオ壁の各々は3.81cm(1.5in)〜7.62cm(3.0in)の範囲の高さを有する請求項2に記載のウッド型ゴルフクラブヘッド。
【請求項４】
フェースと、クラウンと、ソールと、ヒール壁と、リア壁及びトオ壁を持つ中空内部を持つボディを有し、
前記ボディは350cc〜500ccの体積を有し、
前記リア壁、トオ壁及びヒール壁は実質的に直線的であり、
ゴルフクラブヘッドの質量が180g〜215gの範囲で、ゴルフクラブヘッドの重心を通る軸Izzの回りの慣性モーメントが4000g-cm2より大きく、ゴルフクラブヘッドの重心を通る軸Iyyの回りの慣性モーメントが2000g-cm2〜4000g-cm2の範囲にある、
ウッド型ゴルフクラブヘッド。
【請求項５】
前記ボディは形状中心ポイントと、アフト−ヒールエッジポイントと、アフト−トオエッジポイントを持ち、前記形状中心ポイントから前記アフト−ヒールエッジポイントまでの距離は前記形状中心ポイントからアフト−トオエッジポイントまでの距離に等しい請求項４に記載のウッド型ゴルフクラブヘッド。
【請求項６】
前記アフト壁と前記ヒール壁の間にアフト−ヒール曲線セクションを、前記アフト壁と前記トオ壁の間にアフト−トオ曲線セクションを更に有する請求項５に記載のウッド型ゴルフクラブヘッド。
【請求項７】
前記アフト−ヒール曲線セクションと前記アフト−トオ曲線セクションの各々は1.27cm(0.5in)〜2.54cm(1.0in)の範囲の曲線の長さを持つ請求項６に記載のウッド型ゴルフクラブヘッド。
【請求項８】
前記ヒール壁は前記フロント壁の周縁から前記ヒール壁の長さの少なくとも５０％の距離だけ前記フェースの最外範囲に平行な面に対して８０°〜９０°の角度で後方に延びている請求項４に記載のゴルフクラブヘッド。
【請求項９】
前記ヒール壁は前記フロント壁の周縁から前記ヒール壁の長さの少なくとも６６％の距離だけ前記フェースの最外範囲に平行な面に対して８０°〜９０°の角度で後方に延びている請求項４に記載のゴルフクラブヘッド。
【請求項１０】
前記ヒール壁は前記フロント壁の周縁から前記ヒール壁の長さの少なくとも７５％の距離だけ前記フェースの最外範囲に平行な面に対して８０°〜９０°の角度で後方に延びている請求項４に記載のゴルフクラブヘッド。
【請求項１１】
前記ヒール壁は前記フロント壁の周縁から前記ヒール壁の長さの少なくとも９０％の距離だけ前記フェースの最外範囲に平行な面に対して８０°〜９０°の角度で後方に延びている請求項４に記載のゴルフクラブヘッド。
【請求項１２】
前記ヒール壁は前記フロント壁の周縁から前記ヒール壁の長さの少なくとも９５％の距離だけ前記フェースの最外範囲に平行な面に対して８０°〜９０°の角度で後方に延びている請求項４に記載のゴルフクラブヘッド。
【請求項１３】
前記形状中心ポイントからアフト−ヒールエッジポイントまでの距離と前記形状中心ポイントからアフト−トオエッジポイントまでの距離は前記形状中心ポイントからゴルフクラブヘッド上の位置までの距離の最大の長さである請求項４に記載のウッド型ゴルフクラブヘッド。
【請求項１４】
第１の材料からなる打撃プレート部分とリターン部分を有するフェース要素であって、前記リターン部分は前記打撃プレート部分の周縁から0.635cm(0.25in)〜3.81cm(1.5in)の範囲の距離だけ延びているフェース要素と；
前記フェース要素のリターン部分に固定される実質的に四角形状のアフトボディであって、前記アフトボディはクラウン部分とソール部分を有し、前記ソール部分は底部セクションとリボンセクションを有し、前記リボンセクションは前記クラウン部分とソール部分の間に位置しているアフトボディを有し、
ゴルフクラブヘッドは実質的に正方形状であり、
ゴルフクラブヘッドの重心を通る軸Izzの回りの慣性モーメントが4000g-cm2より大きく、ゴルフクラブヘッドの重心を通る軸Iyyの回りの慣性モーメントが2000g-cm2〜4000g-cm2の範囲である、
ウッド型ゴルフクラブヘッド。
【請求項１５】
周縁を持つフロント壁と；
前記フロント壁の周縁からヒール壁の長さの少なくとも６６％の距離だけ前記フロント壁の最外範囲に平行な面に対して８０°〜９０°の角度で後方に延びるヒール壁と；
前記ヒール壁のアフトエッジから6.35cm(2.5in)〜13.97cm(5.5in)の範囲延びるアフト壁と；
前記フロント壁の周縁から前記トオ壁の長さの少なくとも６６％の距離だけ前記フロント壁の最外範囲に平行な面に対して８０°〜９０°の範囲で後方に延びるトオ壁を有し；
クラブヘッドは420cc〜470ccの範囲の体積を持ち、ゴルフクラブヘッドの重心を通る軸Izzの回りの慣性モーメントが4000g-cm2より大きく、ゴルフクラブヘッドの重心を通る軸Ixxの回りの慣性モーメントが2500g-cm2〜3750g-cm2の範囲にあり、ゴルフクラブヘッドの重心を通る軸Iyyの回りの慣性モーメントが2000g-cm2〜4000g-cm2の範囲である、
ウッド型ゴルフクラブヘッド。
【国際調査報告】
2008526311.tif 000050
2008526311.tif 000051
2008526311.tif 000052